(57)【要約】【課題】トレイを安定的に載置でき、パラフィンで机上が汚されることなく衛生的に作業を行うことができ、且つ、貴重な検体を有効に活用でき検査の信頼性を向上させる病理組織検査標本作成用の包埋トレイを提供する。【解決手段】  底部３とその周りに立設された側壁４とからなるパラフィン収容部２と、該パラフィン収容部２の外側に水平に横設されたカセット支承部５と、前記カセット支承部５の周縁部付近から下方に突設された脚部６とからなることを特徴とする病理組織検査標本作成用の包埋トレイ１である。【選択図】図１
2008216235.tif 000002
【特許請求の範囲】
【請求項１】
底部とその周りに立設された側壁とからなるパラフィン収容部と、該パラフィン収容部の外側に水平に横設されたカセット支承部と、前記カセット支承部の周縁部付近から下方に突設された脚部とからなることを特徴とする病理組織検査標本作成用の包埋トレイ。
【請求項２】
パラフィン収容部の底部の面積はカセットの底面積の５分の３以下であることを特徴とする請求項１記載の病理組織検査標本用の包埋トレイ。
【請求項３】
パラフィン収容部の底部は一辺１５ｍｍ以下の正方形状又は直径１５ｍｍ以下の円形状であることを特徴とする請求項２記載の病理組織検査標本作成用の包埋トレイ。
【請求項４】
パラフィン収容部の高さが脚部の高さと略同じか僅かに大きいことを特徴とする請求項１〜３のいずれかに記載の病理組織検査標本作成用の包埋トレイ。
【請求項５】
カセット支承部とパラフィン収容部の間にパラフィンをカセット底面に付着させるためのパラフィン副収容部が介設されていることを特徴とする請求項１〜４のいずれかに記載の病理組織検査標本作成用の包埋トレイ。
【請求項６】
カセット支承部の周縁部から額縁部が横設され、該額縁部はカセット支承部と段差をつけて高く設けられていることを特徴とする請求項１〜５のいずれかに記載の病理組織検査標本作成用の包埋トレイ。
【請求項７】
把持部が、カセット支承部又は額縁部の周縁部から横設されていることを特徴とする請求項１〜６のいずれかに記載の病理組織検査標本作成用の包埋トレイ。
【請求項８】
パラフィン収容部の形状が左右非対称であることを特徴とする請求項１〜７のいずれかに記載の病理組織検査標本作成用の包埋トレイ。
【請求項９】
脚部はカセット支承部の周縁部外縁から外側斜め下方に突設されていることを特徴とする請求項１〜８のいずれかに記載の病理組織検査標本作成用の包埋トレイ。
【発明の詳細な説明】
【技術分野】
【０００１】
本発明は病理組織検査標本作成用の包埋トレイに関し、更に詳しくは、包埋トレイのパラフィン収容部の底面積が小さい場合でも安定で、作業性が良く且つ取り扱いやすい病理組織検査標本作成用の包埋トレイに関する。
【背景技術】
【０００２】
従来、この種の病理組織検査標本作成用の包埋トレイとしては、図２４，図２５に示したようなものが多用されている。この包埋トレイＴはパラフィン収容部Ｔ１と、その周縁に水平状に設けられたカセットを載置するためのカセット支承部Ｔ２と、その周縁に段差をつけて高く水平状に設けられた額縁部Ｔ３となり、更に、長手方向の額縁部Ｔ３の略中央部に横設された把持部Ｔ４とから構成されている。
【０００３】
また、近年では、方形の容器からなるパラフィン収容部とその周縁に設けられたパラフィンブロック付着体の載置部とからなり、前記載置部が少なくとも２個設けられており、サイズの異なる２種類以上のカセット等に対応できる病理組織検査標本作成用トレイが知られている（例えば、特許文献１参照）。
【０００４】
上記病理組織検査標本作成用トレイを使用して顕微鏡標本を作製するには、図２６〜図２８に示すように、まず、カセット本体Ｃ１内に採取した検体Ｓを収容して蓋Ｃ２を取り付けておく。次いで、カセット本体Ｃ１の底部や蓋Ｃ２に穿設された透孔Ｃ３からホルマリンを流入させて検体Ｓを固定処理し、次いでアルコールにより検体Ｓの水分を除去し、キシレンにより後述する液状パラフィンとの親和性を付与する。
【０００５】
次に、図２９に示すとおり、検体ＳをトレイＴに移して該トレイＴのカセット支承部Ｔ２にカセット本体Ｃ１の底部を載せ、上方からパラフィンＰを注入する。次いで、パラフィンＰを冷却固化させた後、トレイＴを取り除くことにより、図３０に示したように、検体Ｓを包埋したパラフィンＰがカセット本体Ｃ１の底部に付着してなるパラフィンブロックＢを得る。その後、ミクロトームでパラフィンに包埋された検体Ｓをスライスして薄片を得て、これに染色等の所定の処理を施すことにより顕微鏡標本を得るのである。
【０００６】
しかしながら、この種のトレイはパラフィンブロックから取り外しやすいように、パラフィン収容部の側壁がテーパ状にされ底面が小さくなっているため、例えば、机上に載置する際も不安定になっている。また、この種のトレイは、パラフィンブロックから更に外し易くするために底面と側壁の間がアール処理されることがあるが、この場合、机上での安定性が更に悪くなる。これに加え、パラフィンブロックをミクロトームに固定する際に固定用の爪をカセットの裏面に掛合させるが、パラフィンがこの掛合の邪魔にならないようパラフィン収容部をカセットの裏面より若干小さく形成することがあり、この場合も机上での安定性が悪化する。
このため、例えば、パラフィンブロックの作成中にトレイに手などが当たったりすると、その拍子にこのトレイ及び載置したカセットが転倒して、パラフィンで机上が汚されてしまうばかりか、貴重な検体が汚染されたり台無しになり検査の信頼性が大きく損なわれてしまう。
【０００７】
一方、この種のトレイを使用した場合、検体の大きさに関わらず出来上がるパラフィンブロックの大きさは概ね一定である。これは、既存のミクロトームにセットしてスライスできるようにするためである。従って、大きなトレイに小さな検体を入れた場合には検体と比較して大きすぎるパラフィンブロックが形成されてしまい、無駄なパラフィンを使用し材料費が高価になるばかりでなく、これをスライスして薄片を得る場合でも余分なパラフィン部分をスライスすることになり、非効率的である。
このような不都合を回避するために、パラフィン収容部の大きさが異なる数種のトレイを用意し、検体の大きさにあわせて適切なトレイを選択して使用する。しかしながら、使用する道具の数を減らして道具の管理等を容易にする観点からカセットの大きさは一定の方が好ましく、このためトレイのカセット支承部はこのカセットを載置できる大きさとされ、その結果、パラフィン収容部が小さなトレイは上部が大きく下部が小さい逆三角形状となってしまい、非常に不安定になる（図２５）。
【特許文献１】特開２００６−３００７４５号公報
【発明の開示】
【発明が解決しようとする課題】
【０００８】
本発明者らは、かかる実情に鑑み、上記問題点を解消するべく鋭意研究の結果、カセット支承部の周縁部付近から脚部を突設することにより、トレイを安定的に机上等に載置でき、トレイが転倒してパラフィンで机上が汚されるといったトラブルもなく効率的且つ衛生的に作業を行うことができるばかりでなく、貴重な検体を損なうことなく有効に活用でき検査の信頼性を向上させることを見出し、本発明を完成するに至った。
【課題を解決するための手段】
【０００９】
本発明は上記目的を達成するためになされたもので、本発明の請求項１は、底部とその周りに立設された側壁とからなるパラフィン収容部と、該パラフィン収容部の外側に水平に横設されたカセット支承部と、前記カセット支承部の周縁部付近から下方に突設された脚部とからなることを特徴とする病理組織検査標本作成用の包埋トレイを内容とする。
【００１０】
本発明の請求項２は、パラフィン収容部の底部の面積はカセットの底面積の５分の３以下であることを特徴とする請求項１記載の病理組織検査標本用の包埋トレイを内容とする。
【００１１】
本発明の請求項３は、パラフィン収容部の底部は一辺１５ｍｍ以下の正方形状又は直径１５ｍｍ以下の円形状であることを特徴とする請求項２記載の病理組織検査標本作成用の包埋トレイを内容とする。
【００１２】
本発明の請求項４は、パラフィン収容部の高さが脚部の高さと略同じか僅かに大きいことを特徴とする請求項１〜３のいずれかに記載の病理組織検査標本作成用の包埋トレイを内容とする。
【００１３】
本発明の請求項５は、カセット支承部とパラフィン収容部の間にパラフィンをカセット底面に付着させるためのパラフィン副収容部が介設されていることを特徴とする請求項１〜４のいずれかに記載の病理組織検査標本作成用の包埋トレイを内容とする。
【００１４】
本発明の請求項６は、カセット支承部の周縁部から額縁部が横設され、該額縁部はカセット支承部と段差をつけて高く設けられていることを特徴とする請求項１〜５のいずれかに記載の病理組織検査標本作成用の包埋トレイを内容とする。
【００１５】
本発明の請求項７は、把持部が、カセット支承部又は額縁部の周縁部から横設されていることを特徴とする請求項１〜６のいずれかに記載の病理組織検査標本作成用の包埋トレイを内容とする。
【００１６】
本発明の請求項８は、パラフィン収容部の形状が左右非対称であることを特徴とする請求項１〜７のいずれかに記載の病理組織検査標本作成用の包埋トレイを内容とする。
【００１７】
本発明の請求項９は、脚部はカセット支承部の周縁部外縁から外側斜め下方に突設されていることを特徴とする請求項１〜８のいずれかに記載の病理組織検査標本作成用の包埋トレイを内容とする。
【発明の効果】
【００１８】
本発明の病理検査標本作成用の包埋トレイは、脚部がカセット支承部の周縁部付近から下方に突設されているので、机上に安定的に載置でき、例えば、パラフィンブロック作成中に手がトレイに当たったとしてもこのトレイ及びカセットが転倒したりせず、従って机上を汚したり貴重な検体を損傷したり台無しにして検査の信頼性を損なう恐れもない。
【００１９】
さらに、パラフィン収容部の底部の面積がカセットの底面積の５分の３以下程度である不安定なトレイに特に好適であり、上記の効果に加え、検体を包埋するためのパラフィンが少なく材料費が安価で済み、またこれをスライスする手間も軽減される。この効果はパラフィン収容部の底部が一辺が１５ｍｍ以下程度の正方形状又は直径が１５ｍｍ以下程度の円形状であるときに特に顕著であり、トレイの安定性並びにパラフィン量及び手間の低減を両立させることができる。
【００２０】
パラフィン収容部の高さが脚部の高さと略同じか僅かに大きいと、包埋トレイはパラフィン収容部及び脚部の両方の３箇所で支えられることになり、より安定的に包埋トレイを定置できるため、トレイの不安定性に因るトラブルが一層防止でき、より作業性が高められるとともに、衛生的で、信頼性の高い検査が可能となる。また、包埋トレイを冷却プレート上に置いてパラフィン収容部のパラフィンを冷却固化させる場合には、パラフィン収容部が冷却プレートに接するため、冷却効率が良好である。
【００２１】
カセット支承部とパラフィン収容部の間にパラフィン副収容部を介設すると、パラフィンはパラフィン収容部とパラフィン副収容部の両方に収容されて固化するため、固化したパラフィンとカセット底面は広い範囲で固着し、このためカセットとパラフィンの間の接着力が増し、パラフィンブロックをスライスする最中にパラフィンがカセット底面から外れるといったトラブルが一層効果的に防止される。
【００２２】
カセット支承部の周縁部に額縁部を、カセット支承部と段差をつけて高く横設すると、カセットの下部を額縁部内に嵌入させることによりカセットの横滑りを防止できるため、カセットを包埋トレイ上に安定的に載置できる。
【００２３】
また、把持部をカセット支承部又は額縁部の周縁部から横設すれば、包埋トレイの運搬の際にこの把持部を持つことができ、またパラフィンブロックから包埋トレイを取り外す際にもこの把持部に指を掛けることができ、包埋トレイを扱いやすくなるので、作業性は大巾に向上する。
【００２４】
さらに、パラフィン収容部の形状を左右非対称とすれば、顕微鏡標本を作製したとき、パラフィンの形状で標本の左右が判別できるため、標本の取り違え等の危険性が減少し、検査の信頼性が向上する。
【００２５】
さらにまた、脚部をカセット支承部の周縁部外縁から外側斜め下方に突設すれば、使用や収納、運搬の際にも脚部が邪魔にならず、多数の包埋トレイを積み重ねても嵩高くならないので、積み重ね性、収納性が向上する。
【発明を実施するための最良の形態】
【００２６】
本発明の病理検査標本作成用の包埋トレイ（以下、単に包埋トレイと記す）は、底部とその周りに立設された側壁とからなるパラフィン収容部と、該パラフィン収容部の外側に水平に横設されたカセット支承部と、前記カセット支承部の周縁部付近から下方に突設された脚部とからなることを特徴とする。
【００２７】
本発明の包埋トレイは液状（溶融）パラフィンに耐える耐熱性素材から作成され、かかる素材としては、ステンレス等の金属、ポリエステル、ポリアミド、ポリカーボネート、ポリアセタール等の樹脂等が挙げられる。
【００２８】
パラフィン収容部は、底部とその周りに立設された側壁とからなるが、パラフィンブロックから包埋トレイを外しやすくするため、側壁が底部から開口部に向かって末広がりのテーパ状とするのが好ましい。また、パラフィンブロックの角が包埋トレイの側壁に当たると包埋トレイから外しにくくなるので、これを防ぐため底面と側壁の間をアール処理するとより好ましい。
【００２９】
パラフィン収容部の大きさは特に限定されず、包埋する検体の大きさに合わせて適宜定めればよい。好ましくは、パラフィン収容部の開口部をカセットの底面よりもやや小さくすると、カセットの底面にパラフィンが付着していない部分が生じ、パラフィンブロックをミクロトームに固定する際にはこの部分に固定用の爪を掛合させることができるため、作業性が改善される。また、パラフィン収容部は小さければ小さいほど必要なパラフィン量が減少し、パラフィンブロックをスライスする手間も省けるため、検体が収容でき、ミクロトームでスライスできる範囲で小さく形成するほうが好ましい。具体的には、パラフィン収容部の底部の面積がカセットの底面積の約５分の３以下程度が好ましく、更に、一辺１５ｍｍ以下の正方形状又は直径１５ｍｍ以下程度が更に好ましい。
【００３０】
パラフィン収容部の高さは検体のサイズ（高さ）に合わせて適宜定めればよく、特に限定されないが、包埋トレイを冷却プレート上に置いてパラフィン収納部のパラフィンを冷却固化する際の冷却効率の観点から、パラフィン収容部の高さが後述する脚部の高さと略同じかパラフィン収容部の高さが僅かに大きいのが好ましい。特に、パラフィン収容部の高さが脚部の高さと略同じである場合は、包埋トレイを机上に定置したときパラフィン収容部の底部と脚部の下端部はともに机上に接地するため、包埋トレイは脚部とパラフィン収容部の両方の３箇所で支えられ、安定性が増すばかりか、接地面積が大きくなるため横滑りも抑えられる。なお、脚部とパラフィン収容部の高さは厳密に同一である必要はなく、包埋トレイの平衡を保てる程度であればよい。
【００３１】
パラフィン収容部の形状は、左右非対称とすることにより、ミクロトームでスライスされた薄片の左右が明確に区別されるので、作業性が高められ、また左右誤認により検体を取り違えるといったトラブルが防止されるので、検査の信頼性が向上する。
左右非対称とする方法は特に限定されないが、例えば、角部のアール半径を変える（大きくする）方法や、角部を三角形状に切り欠いた形状とする方法、側壁を波形にするなどの方法が採用できる。
【００３２】
本発明において、パラフィン収容部の外側にはカセット支承部が水平に横設される。カセット支承部の形状、大きさはカセットを載置できる限り特に限定されないが、例えば、パラフィン収容部の開口部全周から横設して全体的にカセットの底面形状と同形にしてもよいし、パラフィン収容部の両脇に二枚の板状部材を設け、その間にカセットを掛け渡して載置するようにしてもよい。
【００３３】
パラフィン収容部とカセット支承部の間にはパラフィン副収容部を介設することもできる。該副収容部が設けられた包埋トレイにパラフィンを注入すると、パラフィンはパラフィン収容部と該副収容部の両方に収容されて固化するため、固化したパラフィンは広い範囲でカセット底面に固着して接着力が増大し、薄片作成中などにカセットからパラフィンが外れる事故を防止できる。このパラフィン副収容部はパラフィン収容部を小さくし、カセット底面と固化したパラフィンの接着面積が狭く、即ち、カセットとパラフィンの接着力が小さい包埋トレイに設けると特に好ましい。
なお、ここでいう介設とはパラフィン収容部とパラフィン副収容部がカセット支承部により分断されていない状態を指す。即ち、実質的にパラフィン収容部とパラフィン副収容部が連続して設けられれば足り、パラフィン収容部の全周又は一部のいずれで副収容部と連続していてもよい。
【００３４】
カセット支承部の周縁部には額縁部を横設してもよい。この額縁部をカセット支承部と段差をつけて高く設けることにより、カセット支承部との間に段差を生じさせ、この段差によりカセット支承部に載置されたカセットの横滑りを防止することができる。
【００３５】
カセット支承部の周縁部（額縁部が設けられている場合は額縁部の周縁部）に把持部を横設してもよい。これにより、この把持部をもって持ち運んだり、パラフィンブロックから包埋トレイを外す際にこの把持部に指を掛けることができるので、包埋トレイは扱いやすくなるとともに作業性が高められる。
【００３６】
本発明の包埋トレイでは、これを安定的に載置するための脚部がカセット支承部の下方に突設される。脚部の形状は、カセット支承部が水平になるよう包埋トレイを定置できる限り、特に限定されない。この脚部は包埋トレイをより安定的に定置するためカセット支承部の周縁部付近に設けられるが、ここでいうカセット支承部の周縁部付近とは、額縁部を設ける場合にはこの額縁部を含み、包埋トレイが不安定にならない範囲であれば周縁部より内側であってもよい。製造工程を考慮すると、カセット支承部又は額縁部の端部に連続する板状部材を設け、所定位置から下向きに折り曲げて脚部を形成すると、容易に作成できるためより好ましい。
【００３７】
また、脚部はカセット支承部の周縁部外縁から外側斜め下方に突設すれば、使用の際には脚部が邪魔にならないので、限られた机上にコンパクトに積み重ね、上の方から順番にトレイを取って作業に供することができる。また、収納や運搬の際にも脚部が邪魔にならないので、限られたスペースに大量の包埋トレイを収納、運搬することができる。即ち、脚部が真下方向に突設されている包埋トレイを積み重ねた場合、上側の包埋トレイの脚部の下端は下側の包埋トレイの周縁部に当接されるため、上側の包埋トレイと下側の包埋トレイの間に無駄なスペースが形成され、極めて嵩高くなってしまうが、脚部がカセット支承部の周縁部外縁から外側斜め下方に突設された包埋トレイを積み重ねた場合、上側の包埋トレイの脚部は下側の包埋トレイの脚部の上に積層状に配置されるため、上側の包埋トレイと下側の包埋トレイの間には無駄なスペースが殆ど形成されず、多数の包埋トレイを積み重ねても嵩高くならないので、積み重ね性、収納性が向上する。
【００３８】
本発明の包埋トレイでパラフィンブロックを作成するカセットはカセット本体の底面に透孔を有するカセットであれば特に限定はなく、代表的なカセットとして、側面にミクロトームのアダプターを係止するためのアダプター係止部Ｃ４を備えたカセット（図２１，図２６）、斜面状の記録部Ｃ５を備えたカセット（図２２，図２７）及びカセット本体の深さが大きく、アダプター係止部Ｃ６を備えたカセット（図２３, 図２８）が挙げられる。
【実施例】
【００３９】
以下、本発明を図面に基づいて更に詳細に説明するが、本発明はかかる実施例のみに限定されないことは云うまでもない。
【００４０】
実施例１
本実施例の包埋トレイ１は、図１〜図３に示すように、底部３とその周りに立設された側壁４とからなるパラフィン収容部２と、該パラフィン収容部２の外側に水平に横設されたカセット支承部５と、該カセット支承部５とパラフィン収容部２の間に介設されたパラフィン副収容部２ａと、カセット支承部５の周縁部から横設された額縁部７と、前記額縁部７の周縁部から下方に突設された脚部６とからなる。
脚部６は額縁部７の短辺側の縁部から延設された板状部材を下向きに折り曲げてなり、その下端角部がアール処理されている。脚部６の高さはパラフィン収容部２の高さと略同じである。
額縁部７はカセット支承部５と段差をつけて高く設けられているため、カセット支承部５にカセットＣを載置すると、このカセットＣは額縁部７の内部に嵌り込むため、カセットＣがカセット支承部５の上で横滑りすることもなく、安定的に載置される。
額縁部７の長片側の縁部には把持部８が横設され、ここを把持して持ち運ぶことができ、更に、パラフィンブロックＢから包埋トレイ１を外す際にはこの把持部に指を掛けることもできるため、包埋トレイ１は扱いやすくなっている。
また、パラフィン収容部２の底部３の高さと脚部６の下端の高さは同じであるので、この包埋トレイ１を定置した際にはこの底部３と脚部６はともに接地するため、安定性が特に優れており、横滑りもしにくい。
【００４１】
図４は本実施例の包埋トレイ１の断面図を実線で示すと共に、検体ＳとカセットＣを破線で示した図である。なお、図４におけるカセットＣは図２３及び図２８に示したものである。この包埋トレイ１は、破線で示したように、検体Ｓをパラフィン収容部２に投入するとともに、カセット本体Ｃ１をカセット支承部５の上に載置して使用する。
【００４２】
本実施例において、包埋トレイ１は平均厚さ０．５ｍｍのステンレス板をプレス加工及び折り曲げ加工して形成されている。パラフィン収容部２の大きさは、開口部が２０ｍｍ×２０ｍｍ、底部が１２ｍｍ×１２ｍｍ、開口部から底部３までの高さが１３ｍｍ、底部３から額縁部７までの高さが１５ｍｍである。パラフィン副収容部２ａの外周の大きさは２４ｍｍ×２８ｍｍ、深さが１ｍｍである。カセット支承部５の大きさは載置するカセットの底面と同じ２８ｍｍ×４０ｍｍであり、額縁部７との高低差が１ｍｍである。額縁部７の外周の大きさは３２ｍｍ×５２ｍｍである。脚部６は幅３２ｍｍ、高さ１５ｍｍである。把持部８は上辺２２ｍｍ、下辺２３ｍｍ、高さ３ｍｍの台形の角部がアール処理された形状である。本実施例の包埋トレイ１は図２４に示す最も一般的な包埋トレイＴと比較してパラフィン収容部２が深く、且つ、断面積が小さいため、例えば兎の眼球などのような球形や立方形に近い検体Ｓを包埋するために好適に使用できる。
【００４３】
以下に、実施例１の包埋トレイ１の使用方法を図５乃至図８に基づいて説明する。まず、図５に示すように、パラフィンＰをパラフィン収容部２及びパラフィン副収容部２ａに注入する。この際には表面張力を利用してパラフィンＰが盛り上がるように静かに注入する。次に、図６に示すように、パラフィンＰの上にカセットＣを載置する。これにより、パラフィンＰがカセットＣの底面に穿設された透孔Ｃ３を通してカセットＣ内に滲出する。次に、図７に示すように、カセットＣ内にパラフィンＰを注ぎ足し、カセットＣの底面全体をパラフィンＰで浸漬し、その後室温で放冷する。最後に、図８に示すように、固化したパラフィンＰから包埋トレイ１を取り外し、パラフィンブロックＢが完成する。
この方法によりパラフィンブロックＢを作成すると、パラフィンブロックＢの内部に空気が混入しないため気泡が検査の邪魔になることがなく、パラフィンＰとカセットＣが強固に接着されると共に、額縁部７の上にパラフィンＰが盛り上がらないためパラフィンブロックＢをミクロトーム上にセットする際に邪魔にならない。
【００４４】
実施例２
本実施例の包埋トレイ１は、図９〜図１１に示すように、底部３とその周りに立設された側壁４とからなるパラフィン収容部２と、該パラフィン収容部２の外側に水平に横設された左右一対のカセット支承部５と、該カセット支承部５とパラフィン収容部２の間に介設されたパラフィン副収容部２ａと、カセット支承部５の周縁部から横設された額縁部７と、前記額縁部７の周縁部から下方に突設された脚部６とからなる。
脚部６は額縁部７の短辺側の縁部から延設された板状部材を下向きに折り曲げてなり、その下端辺中央部が矩形状に切り欠かれ、残部の帯状部で接地するようになっている。
なお、額縁部７とカセット支承部５の段差によりカセットＣが安定的に載置される点、及び、パラフィン収容部２の底部３の高さと脚部６の下端の高さが同じである点については、実施例１と同様である。
【００４５】
図１２は本実施例の包埋トレイ１の断面図を実線で示すと共に、検体ＳとカセットＣを破線で示した図である。なお、図１２におけるカセットＣは図２１及び図２６に示したものである。この包埋トレイ１は、破線で示したように、検体Ｓをパラフィン収容部２に投入するとともに、カセット本体Ｃ１を左右２箇所のカセット支承部５の上に掛け渡すように載置して使用する。
【００４６】
本実施例において、包埋トレイ１は平均厚さ０．５ｍｍのステンレス板をプレス加工及び折り曲げ加工して形成されている。パラフィン収容部２の大きさは、開口部が１８ｍｍ×１８ｍｍ、底部が８ｍｍ×８ｍｍ、開口部から底部３までの高さが５ｍｍ、底部３から額縁部７までの高さが７ｍｍである。パラフィン副収容部２ａの大きさは２７ｍｍ×２７ｍｍ、深さが１ｍｍである。カセット支承部５，５の大きさはそれぞれ２７ｍｍ×７ｍｍで、２７ｍｍの間隔が空けられており、額縁部７との高低差が１ｍｍである。額縁部７の外周の大きさは３２ｍｍ×４７ｍｍである。脚部６は幅３２ｍｍ、高さ７ｍｍである。本実施例の包埋トレイ１は図２４に示す最も一般的な包埋トレイＴと比較してパラフィン収容部２が浅く、且つ、断面積が小さいため、小さな検体Ｓに対し使用できる。
【００４７】
実施例３
本実施例の包埋トレイ１は、図１３〜図１５に示すように、底部３とその周りに立設された側壁４とからなるパラフィン収容部２と、該パラフィン収容部２の外側に水平に横設されたカセット支承部５と、カセット支承部５の周縁部から横設された額縁部７と、前記額縁部７の周縁部から下方に突設された脚部６とからなる。
パラフィン収容部２は角部の一つ（図１４における左下の角部）が斜めに切り欠かれた形状であり、左右非対称であるため、顕微鏡標本を作製したとき、パラフィンの形状で標本の左右が判別できる。
脚部６は額縁部７の短辺側の縁部から延設された板状部材を下向きに折り曲げてなり、その下端辺中央部が半円状に切り欠かれ、残部の帯状部で接地するようになっている。
なお、額縁部７とカセット支承部５の段差によりカセットＣが安定的に載置される点、及び、額縁部７の長片側の縁部に横設された把持部８により包埋トレイ１が扱いやすくなっている点、及びパラフィン収容部２の底部３の高さと脚部６の下端の高さが同じである点については、実施例１，２と同様である。
【００４８】
図１６は本実施例の包埋トレイ１の断面図を実線で示すと共に、検体ＳとカセットＣを破線で示した図である。なお、図１６におけるカセットＣは図２２及び図２７に示したものである。この包埋トレイ１は、破線で示したように、検体Ｓをパラフィン収容部２に投入するとともに、カセット本体Ｃ１をカセット支承部５の上に載置して使用する。
【００４９】
本実施例において、包埋トレイ１は平均厚さ０．５ｍｍのステンレス板をプレス加工及び折り曲げ加工して形成されている。パラフィン収容部２の大きさは、開口部が２９ｍｍ×２５ｍｍの略矩形から９ｍｍ×９ｍｍの略直角三角形を切り欠いた形状、底部が２０ｍｍ×１６ｍｍの略矩形から５ｍｍ×５ｍｍ略直角三角形を切り欠いた形状、開口部から底部３までの高さが９ｍｍ、底部３から額縁部７までの高さが１０ｍｍである。カセット支承部５の外周の大きさは４０ｍｍ×２８ｍｍで、額縁部７との高低差が１ｍｍである。額縁部７の外周の大きさは３２ｍｍ×５２ｍｍである。脚部６は幅３２ｍｍ、高さ１０ｍｍである。把持部８は上辺２２ｍｍ、下辺２３ｍｍ、高さ３ｍｍの台形の角部がアール処理された形状である。本実施例の包埋トレイ１は図２４に示す最も一般的な包埋トレイＴと比較してパラフィン収容部２が浅く断面積も小さいが、実施例２のものよりも大きいため、サイズ（巾）の大きい検体Ｓを包埋でき、また小さな検体Ｓを２個以上同時に包埋できる。
【００５０】
実施例４
本実施例の包埋トレイ１は、図１７、図１８に示すように、底部３とその周りに立設された側壁４とからなるパラフィン収容部２と、該パラフィン収容部２の外側に水平に横設されたカセット支承部５と、該カセット支承部５とパラフィン収容部２の間に介設されたパラフィン副収容部２ａと、カセット支承部５の周縁部から横設された額縁部７と、前記額縁部７の周縁部外縁から外側斜め下方に突設された脚部６とからなる。
脚部６は額縁部７の短辺側の縁部から延設された板状部材を下向きに折り曲げてなるが、その折り曲げ角度は実施例１〜３のような直角ではなく、約６０度である。なお、脚部の下端角部はアール処理されている。
額縁部７はカセット支承部５と段差をつけて高く設けられているため、カセット支承部５にカセットＣを載置すると、このカセットＣは額縁部７の内部に嵌り込むため、カセットＣがカセット支承部５の上で横滑りすることもなく、安定的に載置される。
額縁部７の長片側の縁部には把持部８が横設され、ここを把持して持ち運ぶことができ、更に、パラフィンブロックＢから包埋トレイ１を外す際にはこの把持部に指を掛けることもできるため、包埋トレイ１は扱いやすくなっている。
また、パラフィン収容部２の底部３の高さと脚部６の下端の高さは同じであるので、この包埋トレイ１を定置した際にはこの底部３と脚部６はともに接地するため、安定性が特に優れており、横滑りもしにくい。
【００５１】
図１９は本実施例の包埋トレイ１の断面図を実線で示すと共に、検体ＳとカセットＣを破線で示した図である。なお、図１９におけるカセットＣは図２３及び図２８に示したものである。この包埋トレイ１は、破線で示したように、検体Ｓをパラフィン収容部２に投入するとともに、カセット本体Ｃ１をカセット支承部５の上に載置して使用する。
【００５２】
本実施例において、包埋トレイ１は平均厚さ０．５ｍｍのステンレス板をプレス加工及び折り曲げ加工して形成されている。パラフィン収容部２の大きさは、開口部が２０ｍｍ×２０ｍｍ、底部が１２ｍｍ×１２ｍｍ、開口部から底部３までの高さが１３ｍｍ、底部３から額縁部７までの高さが１５ｍｍである。パラフィン副収容部２ａの外周の大きさは２４ｍｍ×２８ｍｍ、深さが１ｍｍである。カセット支承部５の大きさは載置するカセットの底面と同じ２８ｍｍ×４０ｍｍであり、額縁部７との高低差が１ｍｍである。額縁部７の外周の大きさは３２ｍｍ×５２ｍｍである。脚部６は幅３２ｍｍ×１７．３ｍｍの板状部分を下向き約６０度に折り曲げて、高さ１５ｍｍにしている。把持部８は上辺２２ｍｍ、下辺２３ｍｍ、高さ３ｍｍの台形の角部がアール処理された形状である。
【００５３】
実施例４の包埋トレイ１は脚部６が外側斜め下方に突設されているため、使用や収納、運搬の際などにもこの脚部が邪魔にならず、図２０に示すように積層状に積み重ねることが出来る。この場合、積み重ねられた包埋トレイ１の間には無駄なスペースが形成されないので、多数の包埋トレイ１を効率よく収納することが出来る。
尚、図２０ではパラフィン収容部２を下方に向けて積み重ねた例を示し、このように積み重ねると該収容部２に埃が溜まらず好都合であるが、勿論、上下を逆にして積み重ねてもよいことは云うまでもない。
【産業上の利用可能性】
【００５４】
叙上のとおり、本発明の病理組織検査標本作成用の包埋トレイは、カセット支承部の周縁部付近から脚部が突設されており、トレイを机上等に安定的に載置でき、従って、転倒して机上等を汚染したり、貴重な検体を損傷したり台無しにすることもないため、病理組織検査標本を作成する作業性や検査の信頼性が大幅に高められ、その有用性は頗る大である。
【図面の簡単な説明】
【００５５】
【図１】本発明の包埋トレイの実施例１を示す正面図である。
【図２】実施例１の平面図である。
【図３】実施例１の側面図である。
【図４】実施例１（図２）のＡ−Ａ断面図である。
【図５】実施例１の包埋トレイを使用方法の説明図である。
【図６】実施例１の包埋トレイを使用方法の説明図である。
【図７】実施例１の包埋トレイを使用方法の説明図である。
【図８】実施例１の包埋トレイを使用して作成したパラフィンブロックである。
【図９】本発明の包埋トレイの実施例２を示す正面図である。
【図１０】実施例２の平面図である。
【図１１】実施例２の側面図である。
【図１２】実施例２（図１０）のＢ−Ｂ断面図である。
【図１３】本発明の包埋トレイの実施例３を示す正面図である。
【図１４】実施例３の平面図である。
【図１５】実施例３の側面図である。
【図１６】実施例３（図１４）のＣ−Ｃ断面図である。
【図１７】本発明の包埋トレイの実施例４を示す正面図である。
【図１８】実施例４の平面図である。
【図１９】実施例４（図１８）のＤ−Ｄ断面図である。
【図２０】実施例４の包埋トレイを積み重ねた状態を示す断面図である。
【図２１】本発明の包埋トレイと共に使用するカセットの例を示す斜視図である。
【図２２】カセットの他の例を示す斜視図である。
【図２３】カセットの更に他の例を示す斜視図である。
【図２４】従来の包埋トレイの例を示す斜視図である。
【図２５】従来の包埋トレイの他の例を示す斜視図である。
【図２６】カセット内に検体を入れた状態を示す断面図である。
【図２７】カセット内に検体を入れた状態を示す断面図である。
【図２８】カセット内に検体を入れた状態を示す断面図である。
【図２９】従来の顕微鏡標本の作製方法を示す説明図である。
【図３０】従来の顕微鏡標本の作製方法を示す説明図である。
【符号の説明】
【００５６】
１  包埋トレイ
２  パラフィン収容部
２ａ  パラフィン副収容部
３  底部
４  側壁
５  カセット支承部
６  脚部
７  額縁部
８  把持部
Ｃ  カセット
Ｃ１  本体
Ｃ２  蓋
Ｃ３  透孔
Ｃ４、Ｃ６  アダプター係止部
Ｃ５  記録部
Ｐ  パラフィン
Ｓ  検体
Ｔ  従来のトレイ
Ｔ１  パラフィン収容部
Ｔ２  カセット支承部
Ｔ３  額縁部
Ｔ４  把持部
Ｂ  パラフィンブロック
【図１】
2008216235.tif 000003
【図２】
2008216235.tif 000004
【図３】
2008216235.tif 000005
【図４】
2008216235.tif 000006
【図５】
2008216235.tif 000007
【図６】
2008216235.tif 000008
【図７】
2008216235.tif 000009
【図８】
2008216235.tif 000010
【図９】
2008216235.tif 000011
【図１０】
2008216235.tif 000012
【図１１】
2008216235.tif 000013
【図１２】
2008216235.tif 000014
【図１３】
2008216235.tif 000015
【図１４】
2008216235.tif 000016
【図１５】
2008216235.tif 000017
【図１６】
2008216235.tif 000018
【図１７】
2008216235.tif 000019
【図１８】
2008216235.tif 000020
【図１９】
2008216235.tif 000021
【図２０】
2008216235.tif 000022
【図２１】
2008216235.tif 000023
【図２２】
2008216235.tif 000024
【図２３】
2008216235.tif 000025
【図２４】
2008216235.tif 000026
【図２５】
2008216235.tif 000027
【図２６】
2008216235.tif 000028
【図２７】
2008216235.tif 000029
【図２８】
2008216235.tif 000030
【図２９】
2008216235.tif 000031
【図３０】
2008216235.tif 000032